(57)【要約】【課題】装置内外に連通する孔部へ充電状態の接続部を接触させることなく電線を通過させる電線通し工法を提供する。【解決手段】電線３０に電線防護管１を取り付けて充電状態の接続部を外界から覆った上で引き抜き・押し込みを行う電線通し工法とした。電線防護管１は、簡易かつ安価な構成である。このような電線通し工法によれば、低圧変流器の電線導入用の孔部において充電状態の接続部を接触させるおそれがなくなり、活線状態の電線３０を孔部へ通過させて引き抜き・押し込みすることが可能となる。【選択図】図１
2010259226.tif 000002
【特許請求の範囲】
【請求項１】
孔部を通じて電線が挿通され、この電線の接続部が端子部に着脱可能に構成される装置に対し、充電状態の接続部を装置の孔部から引き抜く電線引き抜きに係る電線通し工法であって、
装置の孔部に挿通された状態にある電線に電線防護管を移動可能となるように取り付ける電線防護管取り付け工程と、
端子部に当接するまで電線防護管を装置の孔部内に押し入れる電線防護管押し入れ工程と、
電線の接続部を端子部から取り外す接続部取り外し工程と、
電線引き出しと電線防護管押し入れとを交互に行って接続部が電線防護管内に隠れるまで電線を引き出す電線引き出し工程と、
電線防護管を電線に固定する電線防護管固定工程と、
電線防護管とともに電線を孔部から引き抜く電線引き抜き工程と、
を有することを特徴とする電線通し工法。
【請求項２】
孔部を通じて電線が挿通され、この電線の接続部が端子部に着脱可能に構成される装置に対し、充電状態の接続部を装置の孔部に押し込む電線押し込みに係る電線通し工法であって、
接続部を覆うように電線に電線防護管を取り付ける電線防護管取り付け工程と、
端子部に当接するまで電線防護管および電線を装置の孔部内に押し入れる電線防護管・電線押し入れ工程と、
電線の接続部を端子部に取り付ける接続部取り付け工程と、
電線防護管を取り外す電線防護管取り外し工程と、
を有することを特徴とする電線通し工法。
【請求項３】
請求項１または請求項２に記載の電線通し工法において、
前記装置は、交流電路の電力量を計量するための変流器であることを特徴とする電線通し工法。
【発明の詳細な説明】
【技術分野】
【０００１】
本発明は、装置内外に連通する孔部に対して充電状態の接続部が非接触で通過するようにし、活線状態の電線を取り扱えるようにする電線通し工法に関する。
【背景技術】
【０００２】
需要家施設の使用電力を計測するなど、電気に関する計測を行う電気計器は、公的機関（日本電気計器検定所。以下、日電検という）により計量法で定める技術上の基準に適合しているか否かについて検定が行われている。電気計器の計量精度は、検定により公的に証明されており、正確な計量が行われている。
【０００３】
このような電気計器には、需要家の需要電力の規模に応じて各種の種類があり、単独の電気計器と変成器付電気計器に大別される。
単独の電気計器とは、機械式または電子式の単独で電気の使用量を計量する電気計器であり、機器種類別としては電力量計のみである。クラス別としては普通電力量計のみであり、相線別では単相２線式・単相３線式・三相３線式・三相４線式がある。
【０００４】
変成器付電気計器とは、機械式または電子式の組合せ電気計器と計器用変流器（ＣＴ）とを用いて計量する電気計器であり、機器種類別としては電力量計のみである。クラス別としては普通電力量計のみであり、相線別では単相２線式・単相３線式・三相３線式・三相４線式がある。
本明細書では変成器付電気計器と単独の電気計器とを総称して単に電気計器という。
【０００５】
計器用変流器（ＣＴ）は、大電流回路に直列に一次巻線を接続し、一次巻線と二次巻線に比例した二次電流を変成する機器である。変成器の定格二次電流は、一般に、一次電流にかかわらず５〔Ａ〕となっている。すなわち、契約容量の大きい需要家と小さい需要家とでは、流れる電流が大幅に異なるのであるが、それぞれに対応する巻線比の変流器（ＣＴ）を使用することによって、二次電流を常に定格の範囲内におさめるようにしている。
需要家の電力量は、計器類が計量した電力量に、計器用変流器（ＣＴ）の巻線比に応じた定数を乗じることによって算定される。
【０００６】
このような電気計器は工場出荷時には上記の日電検による型式承認・検定を受けており、直ぐに需要家施設に設置使用することができる。この検定には有効期間（以下、検定有効期間という）があり、需要家施設に設置されて計量を行っている既設品は、検定を受けた電気計器と有効期間が過ぎる前に交換する必要がある。
【０００７】
そこで、電気計器を管理する電力会社は、現状では既設の電気計器の検定有効期間を管理する失効替管理を行い、検定有効期間を経過する（以下、失効という。）前に、失効直前の電気計器に代えて、検定済みの他の電気計器を設置する工事を行う。
【０００８】
このような工事の具体例について図を参照しつつ説明する。図７の失効替え工事例を説明する説明図のように、電柱１０と建物２０との間に電線（引込線）３０が張り渡されており、この電線（引込線）３０に低圧変流器付き計器４０が接続され、最終的に開閉器５０を介して建物２０の内部へ引き込まれているものとする。
【０００９】
この低圧変流器付き計器４０は、先に説明した電気計器の一具体例であり、電力量計（ＷＨＭ）４１、低圧変流器４２を備える。この低圧変流器４２は、例えば、図８の低圧変流器の具体例を示す図のように、箱部４２１と蓋部４２２とからなる箱体であり、さらに側面に孔部４２３，４２４，４２５，４２６，４２７，４２８が設けられ、これら孔部４２３，４２４，４２５，４２６，４２７，４２８にそれぞれ電線３０が挿通される。そして、取付脚４２９により建物２０の壁面に固定される。なお、図８では単相３線式・三相３線式等の低圧変流器４２を例示したものであるが、単相２線式等の低圧変流器であれば両側面にそれぞれ二箇所の孔部が形成されることとなる。
【００１０】
また、他の低圧変流器４２’は、例えば、図９の低圧変流器の具体例を示す図のように、箱部４２１’と蓋部４２２’とからなる箱体であり、さらに側面に孔部４２３’，４２４’，４２５’，４２６’，４２７’，４２８’が設けられ、これら孔部４２３’，４２４’，４２５’，４２６’，４２７’，４２８’に電線３０が挿通される。そして、取付脚４２９’により建物２０の壁面に固定される。なお、図９では単相３線式・三相３線式等の低圧変流器４２’を例示したものであるが、単相２線式の低圧変流器であれば両側面にそれぞれ二箇所の孔部が形成されることとなる。
【００１１】
そして失効替え工事の従来工法としては、図７で示すように電線（引込線）３０の切断・接続ポイント３１，３２のうちの何れか一方を切断して需要家側を停電状態とし、電力量計（ＷＨＭ）４１、低圧変流器４２を取り外してから新しい検定済みの電力量計（ＷＨＭ）４１、低圧変流器４２に付け替えて切断・接続ポイント３１（または３２）を接続して失効替え工事終を了するというものである。
【００１２】
さて、失効替え工事の従来工法では電線（引込線）３０の切断・接続を高所で行うため、危険を伴うことや作業時間を要することから、可能であるならばこのような切断・接続を回避したいという要請があった。
これは失効替え工事に限るものではなく、既設の電気計器の故障取り替え工事等でも同様であった（以下、総称して電気計器の取り替え工事という）。このように電線（引込線）３０を切断・接続することなく電気計器の取り替え工事を行いたいという要請がある。この場合、活線状態で電線（引込線）３０を扱うこととなり、特に電線（引込線）３０先端の充電状態の接続部の絶縁対策が必要である。
【００１３】
このような接続部の絶縁対策に関する従来技術の具体例として、例えば、特許文献１（特開平０８−７９９３４号公報、発明の名称「電線端末用絶縁キャップ」）や、特許文献２（特開２００７−１４１７０６号公報、発明の名称「スリーブ部材と挿入部材との仮固定構造及び活線接続工法」）などに記載の発明が知られている。
特許文献１，２に記載の従来技術では、何れも特に電線先端の充電状態の接続部にキャップを被せることで絶縁対策を行う、というものである。
【先行技術文献】
【特許文献】
【００１４】
【特許文献１】特開平０８−７９９３４号公報（図１，図３）
【特許文献２】特開２００７−１４１７０６号公報（図１）
【発明の概要】
【発明が解決しようとする課題】
【００１５】
しかしながら、電気計器の取り替え工事では、上記特許文献１，２に記載のキャップを単純に適用できないという事情があった。
先に図９を用いて説明した低圧変流器４２’では、箱部４２１’と蓋部４２２’との両側の半円状の溝を突き合わせることにより孔部４２３’，４２４’，４２５’，４２６’，４２７’，４２８’が構成されており、蓋部４２２’が開けられると、孔部４２３’，４２４’，４２５’，４２６’，４２７’，４２８’が開放されて電線３０が取り外せるようになっている。このため、先端の接続部が充電状態である電線３０を扱う場合でも、電線３０の取り外しは比較的容易である。
【００１６】
一方で、先に図８を用いて説明した低圧変流器４２では、孔部４２３，４２４，４２５，４２６，４２７，４２８は箱部４２１の側面に設けられた貫通孔であるため、活線状態の電線３０をそのまま引き抜くには問題があった。このような低圧変流器４２は既に多数の建物に設置されており、電気計器の取り替え工事で交換対象になることが多いが、これら孔部に接触しないように先端の接続部が充電状態である電線３０を引き抜くことは、容易ではなく、短絡等事故を誘発しやすいものであった。
【００１７】
そこで、上記特許文献１，２に記載のキャップを充電状態の接続部に被せてから引き抜くことが考えられるが、電線３０の接続部を端子部から取り外す際でも、接続部が外界に晒されるなど危険を伴うものであった。端子部の取り外し時も考慮してより安全な取り外しができるようにしたいという要請があった。
【００１８】
そこで、本発明は上記した問題に鑑みてなされたものであり、その目的は、装置内外に連通する孔部へ充電状態の接続部を接触させることなく電線を通過させる電線通し工法を提供することにある。
【課題を解決するための手段】
【００１９】
本発明の請求項１に係る電線通し工法は、
孔部を通じて電線が挿通され、この電線の接続部が端子部に着脱可能に構成される装置に対し、充電状態の接続部を装置の孔部から引き抜く電線引き抜きに係る電線通し工法であって、
装置の孔部に挿通された状態にある電線に電線防護管を移動可能となるように取り付ける電線防護管取り付け工程と、
端子部に当接するまで電線防護管を装置の孔部内に押し入れる電線防護管押し入れ工程と、
電線の接続部を端子部から取り外す接続部取り外し工程と、
電線引き出しと電線防護管押し入れとを交互に行って接続部が電線防護管内に隠れるまで電線を引き出す電線引き出し工程と、
電線防護管を電線に固定する電線防護管固定工程と、
電線防護管とともに電線を孔部から引き抜く電線引き抜き工程と、
を有することを特徴とする。
【００２０】
また、本発明の請求項２に係る電線通し工法は、
孔部を通じて電線が挿通され、この電線の接続部が端子部に着脱可能に構成される装置に対し、充電状態の接続部を装置の孔部に押し込む電線押し込みに係る電線通し工法であって、
接続部を覆うように電線に電線防護管を取り付ける電線防護管取り付け工程と、
端子部に当接するまで電線防護管および電線を装置の孔部内に押し入れる電線防護管・電線押し入れ工程と、
電線の接続部を端子部に取り付ける接続部取り付け工程と、
電線防護管を取り外す電線防護管取り外し工程と、
を有することを特徴とする。
【００２１】
また、本発明の請求項３に係る電線通し工法は、
請求項１または請求項２に記載の電線通し工法において、
前記装置は、交流電路の電力量を計量するための変流器であることを特徴とする。
【発明の効果】
【００２２】
本発明によれば、装置内外に連通する孔部へ充電状態の接続部を接触させることなく電線を通過させる電線通し工法を提供することができる。
【図面の簡単な説明】
【００２３】
【図１】本発明を実施するための形態の電線通し工法であって電線への電線防護管の取り付けの説明図である。
【図２】本発明を実施するための形態の電線通し工法であって電線引き抜き工法の説明図である。
【図３】本発明を実施するための形態の電線通し工法であって電線引き抜き工法の説明図である。
【図４】本発明を実施するための形態の電線通し工法であって電線引き抜き工法の説明図である。
【図５】本発明を実施するための形態の電線通し工法であって電線押し込み工法の説明図である。
【図６】本発明を実施するための形態の電線通し工法であって電線押し込み工法の説明図である。
【図７】失効替え工事例を説明する説明図である。
【図８】低圧変流器の具体例を示す図である。
【図９】低圧変流器の具体例を示す図である。
【発明を実施するための形態】
【００２４】
続いて、本発明を実施するための形態の電線通し工法について図１〜図６を参照しつつ以下に説明する。まず、充電状態の接続部を装置の孔部から引き抜く電線引き抜きに係る電線通し工法について図を参照しつつ説明する。この工法では、説明の具体化のため、電線引き抜きがなされる装置が既設の低圧変流器であって、この低圧変流器は図８に示した旧型タイプの低圧変流器４２であるものとして説明する。
【００２５】
まず、作業員は、検電して電線３０が活線状態であり、接続部が充電中であることを確認する。この工程では、具体的には、防アーク面・低圧手袋を着用した上で図８の変流器４２の蓋部４２２を取り外し、図２（ａ）の内部で示す低圧変流器４２の箱部４２１内の端子部４３０（接続部３３）にて検電し充電中であることを確認する。
【００２６】
続いて、作業員は、変流器一次側配線接続状態、変流器二次側配線接続状態の確認を行う。この工程では、具体的には、低圧変流器４２の一次側配線、二次側配線の接続状態をそれぞれ確認し、接続状況をチェック票に記入する。電線３０が粘着性ポリエチレンテープが巻かれたＣＶケーブルなど、電線３０の色が不明な場合はテープ巻きにより色を表示する。
【００２７】
続いて、作業員は、低圧変流器４２の一次側アース端子の防護のため、一次側アース端子に接地端子防護カバーを取り付ける。この工程では、具体的には、低圧変流器４２の一次側アース端子に充電部が露出しないように接地端子防護カバーを取り付ける、というものである。
【００２８】
続いて、作業員は、低圧変流器４２の一次側電線の引き抜きのため、一次側電線への電線防護管１の取り付けと一次側電線の引き抜きを行う。この工程が本発明の電線引き抜きに係る電線通し工法に相当するものである。
【００２９】
作業員は、低圧変流器４２の孔部を挿通された状態にある電線３０に電線防護管１を移動可能となるように取り付ける（電線防護管取り付け工程）。最初は一次側電線である電線３０に電線防護管１を差し込むこととなる。
【００３０】
電線３０や電線防護管１は図１（ａ），（ｂ）で示すようなものであり、電線３０に対して電線防護管１を取り付けるものである。電線防護管１は、例えば絶縁体である硬質ゴムなどにより変形可能に形成されており、一枚の板を図１（ｂ）に示すような状態の筒体にすることで巻回し体としたものであって通常はこの巻回し体としての形状で安定するものであり、切断部２が形成される。このような電線防護管１の切断部２を拡開して、図１（ｃ）で示すような導入部３を形成し、この導入部３を通過させて電線防護管１を内部に入れた上で元の巻回し体に戻す。これにより、電線防護管１は図１（ｄ）に示すように電線３０の周囲を覆い、移動可能に取り付けられる。
【００３１】
続いて、作業員は、電線３０に沿って電線防護管１を移動させていき、図２（ａ）に示すように孔部４２３に電線防護管１を押し入れ、図２（ｂ）に示すように端子部４３０に当接するまで電線防護管１を孔部４２３内に押し入れる（電線防護管押し入れ工程）。なお、複数ある孔部のうち孔部４２３を例示的に図示したが、他の孔部４２５，４２６，４２８でも同様であり、以下孔部４２３のみ説明するものとし、他は重複する説明を省略する。なお、孔部４２４，４２７に挿入される電線３０は接地線であるため電線防護管１を用いる必要はないが、万全を期して電線防護管１用いる工法としても良い。
【００３２】
続いて、作業員は、電線３０の接続部３３を端子部４３０から取り外す（接続部取り外し工程）。例えば、図３（ａ）にも示されるように、端子部４３０の四箇所にある六角ボルトを緩める。
【００３３】
続いて、作業員は、図３（ａ）に示すような電線引き出しと図３（ｂ）に示すような電線防護管押し入れとを交互に行い、電線３０を徐々に引き出しながら取り付けた電線防護管１を押し入れ、図４（ａ）に示すように接続部３３が電線防護管１内に隠れるまで電線３０を引き出す（電線引き出し工程）。この電線引き出しと電線防護管押し入れとは、短い距離で多数にわたり行うことにより、充電部である接続部３３が外界に露出する状態を極力回避する。
【００３４】
続いて、作業員は、図４（ａ）に示すように固定部４を設けて電線防護管１を電線３０に固定する（電線防護管固定工程）。電線３０の接続部３３の端末が電線防護管１の１ｃｍ程度内側に来た段階で電線防護管１の末端をテープ巻きして固定部４を形成し、電線防護管１を電線３０に固定する。充電部である接続部３３は外界に露出していない状態となる。
【００３５】
続いて、作業員は、図４（ｂ）に示すように電線防護管１とともに電線３０を孔部から引き抜く（電線引き抜き工程）。作業員は、まず引き抜き前に、電線防護管１の先端より接続部３３が露出していないことを再度確認し、その上で電線３０を他の物に接触させないよう注意しつつ電線３０と電線防護管１とを一緒に引き抜く。このようにして電線引き抜きに係る電線通し工法が行われる。
【００３６】
続いて、作業員は、引き抜いた電線３０より電線防護管１を取り外し、充電部である接続部３３へ電線端末キャップまたはテープ等を用い防護し、電圧線より取り外し接地線を最後に取り外す。
【００３７】
続いて、作業員は、既設の計器、変流器を取り外すこととなる。具体的には低圧変流器４２の負荷側（二次側）電線３０の取り外し、低圧変流器４２の取り外し、電力量計（ＷＨＭ）４１の取り外しを行う。この際、周囲の状況を確認し、電力量計（ＷＨＭ）４１や低圧変流器４２の取り外しでは落下等させないよう慎重に取り扱うことが必要である。
【００３８】
続いて、作業員は、新設変流器、新設計器の取り付けを行う。例えば、図９で示したような新型の低圧変流器４２’としても良いが、説明の都合上図８で示した旧型の低圧変流器４２であるものとして説明する。低圧変流器４２は取り外し前と同じ方向で取り付ける。電力量計（ＷＨＭ）４１や低圧変流器４２の取り付けでは落下等させないよう慎重に取り扱う。
【００３９】
この場合、充電状態の接続部を装置の孔部に差し込む電線差し込みに係る電線通し工法が行われる。
作業員は、図５（ａ）で示すように電線３０の接続部３３を覆うように電線３０に電線防護管１を取り付ける（電線防護管取り付け工程）。作業員は、再度電線３０に電線防護管１を取り付け、さらに先の電線引き抜きに係る電線通し工法で充電部である接続部３３に防護のため取り付けられた電線端末キャップまたはテープ等を外す。
【００４０】
続いて、作業員は、図５（ｂ）で示すように、端子部４３０に当接するまで電線防護管１および電線３０を箱部２４１の孔部４２３内に押し入れ、停止位置まで押し入れる（電線防護管・電線押し入れ工程）。
【００４１】
続いて、作業員は、図６（ａ）で示すように、電線の接続部を端子部４３０内に押し入れて端子部４３０に接続する（接続部取り付け工程）。例えば、図６（ａ）にも示されるように、端子部４３０の四箇所にある六角ボルトを締めて端子部４３０を挟み込むように固定する。
【００４２】
続いて、作業員は、図６（ｂ）で示すように、電線３０から電線防護管１を取り外す（電線防護管取り外し工程）。電線３０に沿って電線防護管１を引き抜くことにより達成される。
以下、同様にして電気計器の取り替え工事がなされる。
【００４３】
以上、電線引き抜きおよび電線押し込みに係る電線通し工法について説明した。
このような電線通し工法によれば、特に低圧変流器付き計器等の取り替え工事において、活線状態の電線であっても取り替え工事を行うことが可能となり、電線（引込線）３０の切断・接続を回避できるため、電力会社にとって利便性を高めている。
さらに本工法では停電時間が短縮できること、電力会社の作業員による切断・接続（給電停止再開作業）を要しないこと、それに伴って高所作業が無くなることによる安全面の向上というメリットがある。
また、計器の取り替え工事を念頭において電線通し工法を説明したが、取り替え工事に限定する趣旨ではなく、活線状態の電線を孔部に通過させる工事全般において本発明の電線通し工法は幅広く適用可能である。
【産業上の利用可能性】
【００４４】
本発明の電線通し工法は、特に活線状態の電線を装置の孔部に挿抜する際に適用することができる。
【符号の説明】
【００４５】
１：電線防護管
２：切断部
３：導入部
４：固定部
１０：電柱
２０：建物
３０：引込線
３１，３２：切断・接続ポイント
３３：接続部
４０：低圧変流器付き計器
４１：電力量計（ＷＨＭ）
４２：低圧変流器
４２１：箱部
４２２：蓋部
４２３：孔部
４２４：孔部
４２５：孔部
４２６：孔部
４２７：孔部
４２８：孔部
４２９：取付脚
４３０：端子部
４２’：低圧変流器
４２１’：箱部
４２２’：蓋部
４２３’：孔部
４２４’：孔部
４２５’：孔部
４２６’：孔部
４２７’：孔部
４２８’：孔部
４２９’：取付脚
５０：開閉器
【図１】
2010259226.tif 000003
【図２】
2010259226.tif 000004
【図３】
2010259226.tif 000005
【図４】
2010259226.tif 000006
【図５】
2010259226.tif 000007
【図６】
2010259226.tif 000008
【図７】
2010259226.tif 000009
【図８】
2010259226.tif 000010
【図９】
2010259226.tif 000011